【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
画像データの取得を行う装置であって、
前記画像データの転送に関するエラー状態の場合に所定の通知を表示部に表示する第１の制御と、前記エラー状態の場合であっても前記所定の通知を表示しない第２の制御と、を実行する制御手段と、
前記制御手段により前記第２の制御が実行され前記所定の通知が表示されていない場合に、ユーザーにより特定のボタンが押下されたことに応じて、前記所定の通知の表示を非表示状態から表示状態に切り替える切り替え手段と、
前記特定のボタンが押下されたことに応じて前記切り替え手段による前記切り替えを行わせるための設定を、ユーザーからの指示に応じて設定する設定手段と、を備え、
前記切り替え手段は、前記設定手段により前記設定がなされており、且つ前記特定のボタンが押下された場合に、前記所定の通知の表示を非表示状態から表示状態に切り替え、前記設定手段により前記設定がなされていない場合、前記特定のボタンが押下されたとしても、前記切り替えは行わない、
ことを特徴とする装置。
【請求項２】
所定の情報に基づく所定の通知の表示を制御する装置であって、
前記所定の情報の取得に応じて前記所定の通知を表示部に表示する第１の制御と、前記所定の情報が取得されたとしても前記所定の通知を表示しない第２の制御と、を実行する制御手段と、
前記制御手段により前記第２の制御が実行され前記所定の通知が表示されていない場合に、ユーザーにより特定のボタンが押下されたことに応じて、前記所定の通知の表示を非表示状態から表示状態に切り替える切り替え手段と、
前記特定のボタンが押下されたことに応じて前記切り替え手段による前記切り替えを行わせるための設定を、ユーザーからの指示に応じて設定する設定手段と、を備え、
前記切り替え手段は、前記設定手段により前記設定がなされており、且つ前記特定のボタンが押下された場合に、前記所定の通知の表示を非表示状態から表示状態に切り替え、前記設定手段により前記設定がなされていない場合、前記特定のボタンが押下されたとしても、前記切り替えは行わない、
ことを特徴とする装置。
【請求項３】
所定の通知の表示の制御を行う制御手段と、
ユーザーにより特定のボタンが押下されたことに応じて、前記所定の通知の表示を、非表示状態から表示状態に切り替える切り替え手段と、
前記特定のボタンが押下されたことに応じて前記切り替え手段による前記切り替えを行わせるための設定を、ユーザーからの指示に応じて設定する設定手段と、を備え、
前記切り替え手段は、前記設定手段により前記設定がなされており、且つ前記特定のボタンが押下された場合に、前記所定の通知の表示を非表示状態から表示状態に切り替え、前記設定手段により前記設定がなされていない場合、前記特定のボタンが押下されたとしても、前記切り替えは行わない、
ことを特徴とする装置。
【請求項４】
前記制御手段により表示部に表示される設定画面においてユーザーから指示が行われることにより、前記設定手段は前記設定を行うことを特徴とする請求項１乃至３のいずれか１項に記載の装置。
【請求項５】
前記設定画面では、前記所定の通知の表示を非表示状態から表示状態に切り替えるための設定条件として、前記特定のボタン以外の候補も選択可能であることを特徴とする請求項４に記載の装置。
【請求項６】
前記所定の通知は、エラーに関する通知であることを特徴とする請求項１乃至５のいずれか１項に記載の装置。
【請求項７】
前記所定の通知は、ユーザー操作により解決する必要のあるエラーに関する通知であることを特徴とする請求項１乃至６のいずれか１項に記載の装置。
【請求項８】
前記第２の制御が実行されている場合、特定の機能がさらに制限されることを特徴とする請求項１又は２に記載の装置。
【請求項９】
前記制御手段は、表示部に１画面で表示するモードと複数画面で表示するモードとを実行可能であることを特徴とする請求項１乃至８のいずれか１項に記載の装置。
【請求項１０】
画像データの取得を行う装置の制御方法であって、
前記画像データの転送に関するエラー状態の場合に所定の通知を表示部に表示する第１の制御と、前記エラー状態の場合であっても前記所定の通知を表示しない第２の制御と、を実行するステップと、
前記第２の制御が実行され前記所定の通知が表示されていない場合に、ユーザーにより特定のボタンが押下されたことに応じて、前記所定の通知の表示を非表示状態から表示状態に切り替えるステップと、
前記特定のボタンが押下されたことに応じて前記切り替えを行わせるための設定を、ユーザーからの指示に応じて設定するステップと、を有し、
前記設定がなされており、且つ前記特定のボタンが押下された場合に、前記所定の通知の表示を非表示状態から表示状態に切り替え、前記設定がなされていない場合、前記特定のボタンが押下されたとしても、前記切り替えは行わない、
ことを特徴とする制御方法。
【請求項１１】
所定の情報に基づく所定の通知の表示を制御する制御方法であって、
前記所定の情報の取得に応じて前記所定の通知を表示部に表示する第１の制御と、前記所定の情報が取得されたとしても前記所定の通知を表示しない第２の制御と、を実行するステップと、
前記第２の制御が実行され前記所定の通知が表示されていない場合に、ユーザーにより特定のボタンが押下されたことに応じて、前記所定の通知の表示を非表示状態から表示状態に切り替えるステップと、
前記特定のボタンが押下されたことに応じて前記切り替えを行わせるための設定を、ユーザーからの指示に応じて設定するステップと、を有し、
前記設定がなされており、且つ前記特定のボタンが押下された場合に、前記所定の通知の表示を非表示状態から表示状態に切り替え、前記設定がなされていない場合、前記特定のボタンが押下されたとしても、前記切り替えは行わない、
ことを特徴とする制御方法。
【請求項１２】
所定の通知の表示の制御を行うステップと、
ユーザーにより特定のボタンが押下されたことに応じて、前記所定の通知の表示を、非表示状態から表示状態に切り替えるステップと、
前記特定のボタンが押下されたことに応じて前記切り替えを行わせるための設定を、ユーザーからの指示に応じて設定するステップと、を有し、
前記設定がなされており、且つ前記特定のボタンが押下された場合に、前記所定の通知の表示を非表示状態から表示状態に切り替え、前記設定がなされていない場合、前記特定のボタンが押下されたとしても、前記切り替えは行わない、
ことを特徴とする制御方法。
【請求項１３】
表示部に表示される設定画面においてユーザーから指示が行われることにより、前記設定を行うことを特徴とする請求項１０乃至１２のいずれか１項に記載の制御方法。
【請求項１４】
前記設定画面では、前記所定の通知の表示を非表示状態から表示状態に切り替えるための設定条件として、前記特定のボタン以外の候補も選択可能であることを特徴とする請求項１３に記載の制御方法。
【請求項１５】
前記所定の通知は、エラーに関する通知であることを特徴とする請求項１０乃至１４のいずれか１項に記載の制御方法。
【請求項１６】
前記所定の通知は、ユーザー操作により解決する必要のあるエラーに関する通知であることを特徴とする請求項１０乃至１５のいずれか１項に記載の制御方法。
【請求項１７】
前記第２の制御が実行されている場合、特定の機能がさらに制限されることを特徴とする請求項１０又は１１に記載の制御方法。
【請求項１８】
表示部に１画面で表示するモードと複数画面で表示するモードとを実行可能であることを特徴とする請求項１０乃至１７のいずれか１項に記載の制御方法。
【請求項１９】
請求項１乃至９のいずれか１項に記載の装置の各手段としてコンピュータを機能させるためのプログラム。
【手続補正２】
【補正対象書類名】明細書
【補正対象項目名】発明の名称
【補正方法】変更
【補正の内容】
【発明の名称】装置、制御方法およびプログラム
【手続補正３】
【補正対象書類名】明細書
【補正対象項目名】０００１
【補正方法】変更
【補正の内容】
【０００１】
本発明は、複数の表示モードで表示する装置、制御方法およびプログラムに関する。
【手続補正４】
【補正対象書類名】明細書
【補正対象項目名】０００７
【補正方法】変更
【補正の内容】
【０００７】
本発明の目的は、このような従来の問題点を解決することにある。本発明は、上記の点に鑑み、ユーザの作業効率の低下を防ぐ装置、制御方法およびプログラムを提供することを目的とする。
【手続補正５】
【補正対象書類名】明細書
【補正対象項目名】０００８
【補正方法】変更
【補正の内容】
【０００８】
上記課題を解決するため、本発明に係る装置は、画像データの取得を行う装置であって、前記画像データの転送に関するエラー状態の場合に所定の通知を表示部に表示する第１の制御と、前記エラー状態の場合であっても前記所定の通知を表示しない第２の制御と、を実行する制御手段と、前記制御手段により前記第２の制御が実行され前記所定の通知が表示されていない場合に、ユーザーにより特定のボタンが押下されたことに応じて、前記所定の通知の表示を非表示状態から表示状態に切り替える切り替え手段と、前記特定のボタンが押下されたことに応じて前記切り替え手段による前記切り替えを行わせるための設定を、ユーザーからの指示に応じて設定する設定手段と、を備え、前記切り替え手段は、前記設定手段により前記設定がなされており、且つ前記特定のボタンが押下された場合に、前記所定の通知の表示を非表示状態から表示状態に切り替え、前記設定手段により前記設定がなされていない場合、前記特定のボタンが押下されたとしても、前記切り替えは行わない、ことを特徴とする。
【手続補正６】
【補正対象書類名】明細書
【補正対象項目名】０００９
【補正方法】変更
【補正の内容】
【０００９】
本発明によれば、複数の表示モードを有する装置においてユーザの作業効率の低下を防ぐことができる。